(57)【要約】【課題】秤上に容器を載置した状態で、異なる被計量物をそれぞれ所定の重量ずつ該容器内に順次追加する場合でも、使用者が計算や数値の記憶を行なう必要がないようにした秤を提供する。【解決手段】支持体１にはコイルばね３を立設し、該支持体には該コイルばねの座屈を防止するためのガイド５を備えさせ、該コイルばねの上端には被計量物を収容する所望の容器９を着脱自在に取り付け、該支持体には上下方向の目盛１１を上下方向に位置調節自在に備えさせたことを特徴とする秤。【選択図】図１
2008102082.tif 000002
【特許請求の範囲】
【請求項１】
支持体にはコイルばねを立設し、該支持体には該コイルばねの座屈を防止するためのガイドを備えさせ、該コイルばねの上端には被計量物を収容する所望の容器を着脱自在に取り付け、該支持体には上下方向の目盛を上下方向に位置調節自在に備えさせたことを特徴とする秤。
【請求項２】
前記目盛に磁性体を備えさせ、前記支持体には該目盛の磁性体に対応する永久磁石を上下方向に配設したことを特徴とする請求項１に記載の秤。
【請求項３】
前記目盛に永久磁石を備えさせ、前記支持体には該目盛の永久磁石に対応する磁性体を上下方向に配設したことを特徴とする請求項１に記載の秤。
【請求項４】
前記目盛は、支持体に配設された上下方向の棒状体に沿って摺動することを特徴とする請求項１に記載の秤。
【発明の詳細な説明】
【技術分野】
【０００１】
本発明は、秤に関するものであり、例えば、料理において材料を計量し、あるいは、園芸において消毒剤、殺虫剤等の薬剤を計量する際に使用される秤に係るものである。
【０００２】
本出願において、秤により計量される上記の如き材料、薬剤等を「被計量物」という。
【背景技術】
【０００３】
秤としては、例えば実用新案登録第３０９３４７４号公報に示すように、計量部に載置した被計量物の重量をばねの伸縮により計量するようにしてなるものが従来より使用されている。
【特許文献１】実用新案登録第３０９３４７４号公報
【発明の開示】
【発明が解決しようとする課題】
【０００４】
上記従来の秤は、単に一つの被計量物の重量を計量するのみであれば好ましく使用されるものである。
【０００５】
しかるに、従来の秤を用いて、例えば、秤上に容器を載置した状態で、複数種の被計量物をそれぞれ所定の重量ずつ該容器内に順次追加する場合には、使用者は計算と数値の記憶とを繰り返さなければならない。
【０００６】
即ち、秤の目盛は連続的に作用するのであるから、まず、容器を秤上に載置し、容器の重量を秤の目盛により計量し、使用者がこの重量に第１の被計量物の予定重量を加算し、当該加算して得られた数値を記憶する。続いて、秤の目盛がこの数値になるまで容器に第１の被計量物を入れる。次に、使用者がこの目盛の数値に第２の被計量物の予定重量を加算し、当該加算して得られた数値を記憶する。秤の目盛がこの数値になるまで容器に第２の被計量物を追加する。更に、使用者がこの目盛の数値に第３の被計量物の予定重量を加算し、当該加算して得られた数値を記憶する。秤の目盛がこの数値になるまで容器に第３の被計量物を追加する。
【０００７】
例えば、従来の秤を用いて、１０グラムの容器内に、１５グラムの砂糖と、３グラムの塩と、５グラムの酢とを順次注入する場合には、秤により容器の重量を計量し、この重量１０グラムに砂糖の予定重量１５グラムを加算し、得られた数値２５グラムを記憶する。秤の目盛が２５グラムになるまで容器に砂糖を入れる。続いて、この２５グラムに塩の予定重量３グラムを加算し、得られた数値２８グラムを記憶する。秤の目盛が２８グラムになるまで容器に塩を入れる。更に、この２８グラムに酢の予定重量５グラムを加算し、得られた数値３３グラムを記憶する。秤の目盛が３３グラムになるまで容器に酢を入れる。
【０００８】
以上の如く、使用者は計算と数値の記憶とを繰り返しつつ、秤による計量を行なわなければならないのであるが、このような作業は面倒であり、使用者に大きな負担を強いることになる。
【０００９】
本発明は、従来の秤における上述の如き問題を解消し、秤上に容器を載置した状態で、異なる被計量物をそれぞれ所定の重量ずつ該容器内に順次追加する場合でも、使用者が計算や数値の記憶を行なう必要がないようにした秤を提供しようとしてなされたものである。
【課題を解決するための手段】
【００１０】
上記課題を解決するために、本発明は、下記の秤を提供する。
【００１１】
（１）支持体にはコイルばねを立設し、該支持体には該コイルばねの座屈を防止するためのガイドを備えさせ、該コイルばねの上端には被計量物を収容する所望の容器を着脱自在に取り付け、該支持体には上下方向の目盛を上下方向に位置調節自在に備えさせたことを特徴とする秤（請求項１）。
【００１２】
（２）前記目盛に磁性体を備えさせ、前記支持体には該目盛の磁性体に対応する永久磁石を上下方向に配設する（請求項２）。
【００１３】
（３）前記目盛に永久磁石を備えさせ、前記支持体には該目盛の永久磁石に対応する磁性体を上下方向に配設する（請求項３）。
【００１４】
（４）前記目盛は、支持体に配設された上下方向の棒状体に沿って摺動する（請求項４）。
【発明の効果】
【００１５】
［請求項１の発明］
（イ）秤は、上下方向の目盛を上下方向に位置調節自在に備えているため、次のような優れた効果を発揮する。
【００１６】
ａ）被計量物を収容する容器をコイルばねの上端に取り付けた状態で、目盛を所望の位置（例えば「０」を示す位置）まで下げた後、被計量物を容器に入れ、該目盛により被計量物のみの計量を容器と関係なく行なうことができる。即ち、使用者は、容器の計量を行なう必要がなく、容器の重量を計算に入れ、あるいは、記憶することも不要である。従って、被計量物の計量に当っての使用者の負担が軽減される。図２参照。
【００１７】
ｂ）複数種の被計量物をそれぞれ所定の重量ずつ容器内に順次追加する場合には、各被計量物を計量する前に目盛を所望の位置（例えば「０」を示す位置）まで下げ、該目盛により当該被計量物のみの重量を独立して計量することができる。即ち、使用者は、次の被計量物の計量のために計算を行い、あるいは、計算して得られた数値を記憶することも不要である。従って、被計量物の計量に当っての使用者の負担が大幅に軽減される。図３参照。
【００１８】
（ロ）容器はコイルばねの上端に対し着脱自在であるため、該容器は容易に洗浄することができる。また、用途に応じて所望の容器を使用することが可能であり、該容器から直接飲食することもできる。
【００１９】
［請求項２の発明］
目盛の磁性体は、支持体に上下方向に配設された永久磁石により吸着されるため、目盛は該永久磁石上における上下方向の所望の位置に固定することができる。
【００２０】
［請求項３の発明］
目盛の永久磁石は、支持体に上下方向に配設された磁性体を吸着するため、目盛は該磁性体上における上下方向の所望の位置に固定することができる。
【００２１】
［請求項４の発明］
目盛は、支持体に配設された上下方向の棒状体に沿って摺動するため、上下方向の所望の位置に容易に固定することができる。
【発明を実施するための最良の形態】
【００２２】
符号１に示すものは支持体である。
【００２３】
支持体１は、略円筒状その他形状の如何を問わない。また、支持体１は、金属、陶磁器、ガラス、木、竹、合成樹脂その他如何なる材料により形成してもよい。
【００２４】
支持体１にはコイルばね３を立設する。即ち、一例として、支持体１の底面にコイルばね３の下端を固定する。
【００２５】
支持体１にはコイルばね３の座屈を防止するためのガイド５を備えさせる。図示の事例においては、複数のガイド５、５・・・が相互間に隙間６を置いた状態で配設されているため、該隙間６に手の指を挿入して容器をコイルばねに対し着脱させることができる。
【００２６】
図１〜図３に示す事例においては、コイルばね３の外周近傍に４個のガイド５、５、５、５が略円筒状の支持体１から上方に延設されている。
【００２７】
図４に示す事例においては、２個のガイド５、５が略円筒状の支持体１から上方に延設されている。
【００２８】
図６に示す事例においては、２個のガイド５、５が略円筒状の支持体１から上方に延設されているが、各ガイド５は多数本の上下方向の棒状体７、７・・・を備えている。
【００２９】
コイルばね３の上端には被計量物を収容する所望の容器９を着脱自在に取り付ける。
【００３０】
容器９は、コイルばね３の上端に着脱自在に取り付け得るものであれば、形状の如何を問わない。図１、図９〜図１１参照。
【００３１】
図１〜図３に示す事例における容器９は、上端に鍔状の突縁９ａを備えている。該突縁９ａはコイルばね３の上端に係止する。
【００３２】
図９〜図１１に示す容器９は、上端に複数の突部９ｂ、９ｂ・・・を備えている。該突部９ｂ、９ｂ・・・はコイルばね３の上端に係止する。
【００３３】
容器９は、陶磁器、紙、ガラス、金属、木、合成樹脂その他如何なる材料により形成してもよい。
【００３４】
支持体１には上下方向の目盛１１を上下方向に位置調節自在に備えさせる。
【００３５】
支持体１に目盛１１を上下方向に位置調節自在備えさせるに当っては、例えば下記の如くなす。
【００３６】
（ａ）目盛１１に鉄片等の磁性体を備えさせ、支持体１には該目盛１１の磁性体に対応する永久磁石１３を上下方向に配設する。目盛１１は、一例として、磁性体の表面に設ける。
【００３７】
（ｂ）目盛１１に永久磁石を備えさせ、支持体１には該目盛１１の永久磁石に対応する鉄片等の磁性体１５を上下方向に配設する。目盛１１は、一例として、永久磁石の表面に設ける。
【００３８】
（ｃ）目盛１１は、支持体１に配設された上下方向の棒状体７に沿って摺動するようになす。
【００３９】
図７に示す事例においては、目盛１１は支持体１に配設された上下方向の２本の棒状体７、７に沿って摺動するようにしている。
【００４０】
図８に示す事例においては、目盛１１は支持体１に配設された上下方向の１本の棒状体７に沿って摺動するようにしている。この事例における目盛１１は、好ましくは、弾性を有する。
【００４１】
なお、支持体１は、鉛筆立て、箸立て等として使用することもできる。また、支持体１の底部に造花、ＬＥＤ等の発光体を配設し、該支持体１を装飾品として利用することもできる。
【図面の簡単な説明】
【００４２】
【図１】本発明による秤の一例を示す斜視図である。
【図２】同上秤の使用状態の一例を示す断面図である。
【図３】同上秤の使用状態の別の一例を示す断面図である。
【図４】支持体と目盛との一例を示す斜視図である。
【図５】同上支持体と目盛とを示す平面図である。
【図６】支持体と目盛との別の一例を示す斜視図である。
【図７】２本の棒状体に沿って摺動する目盛を示す断面図である。
【図８】１本の棒状体に沿って摺動する目盛を示す断面図である。
【図９】容器の一例を示す正面図である。
【図１０】同上容器の平面図である。
【図１１】容器の別の一例を示す正面図である。
【符号の説明】
【００４３】
１  支持体
３  コイルばね
５  ガイド
６  隙間
７  棒状体
９  容器
９ａ  突縁
９ｂ  突部
１１  目盛
１３  永久磁石
１５  磁性体
【図１】
2008102082.tif 000003
【図２】
2008102082.tif 000004
【図３】
2008102082.tif 000005
【図４】
2008102082.tif 000006
【図５】
2008102082.tif 000007
【図６】
2008102082.tif 000008
【図７】
2008102082.tif 000009
【図８】
2008102082.tif 000010
【図９】
2008102082.tif 000011
【図１０】
2008102082.tif 000012
【図１１】
2008102082.tif 000013